(57)【特許請求の範囲】
【請求項１】
帯鋸盤における帯鋸刃案内装置によって帯鋸刃を挟持する帯鋸刃挟持方法であって、帯鋸刃案内装置に備えた固定インサートブロックと可動インサートブロックとによって帯鋸刃の胴部を挟持するとき、帯鋸刃案内装置に備えた押圧ネジ部材を締付け、押圧方向へ微動可能な中間部材を介して前記可動インサートブロックを固定インサートブロック側へ移動し、当該可動インサートブロックと固定インサートブロックとによって帯鋸刃の胴部を強固に挟圧した後、前記押圧ネジ部材を不動状態にロックすると共に前記可動インサートブロックから離反する方向へ前記中間部材を移動し、前記固定インサートブロックと可動インサートブロックとによる帯鋸刃の挟圧力を弱くして帯鋸刃を挟持することを特徴とする帯鋸刃挟持方法。
【発明の詳細な説明】
【技術分野】
【０００１】
本発明は、帯鋸盤における帯鋸刃案内装置による帯鋸刃挟持方法及び帯鋸刃案内装置に係り、さらに詳細には帯鋸刃案内装置に備えた固定インサートブロックと可動インサートブロックとによって帯鋸刃の胴部を挟持して案内する際、帯鋸刃における胴部の厚さが帯鋸刃の種類毎に変わる場合であっても、前記固定インサートブロックと可動インサートブロックとの間の間隙を常に適正な間隙に保持することができる帯鋸刃案内装置による帯鋸刃挟持方法及び帯鋸刃案内装置に関する。
【背景技術】
【０００２】
帯鋸盤には、竪型帯鋸盤と横型帯鋸盤とがあり、上記両帯鋸盤には、帯鋸刃でもってワークの切断を行うとき、ワークに近接したワークの両側位置で帯鋸刃の胴部を挟持して案内する帯鋸刃案内装置が備えられている。上記帯鋸刃案内装置は、帯鋸刃の背部を支持し案内する背部支持部材と、帯鋸刃の胴部を挟持して案内するための固定インサートブロック及び可動インサートブロックと、前記可動インサートブロックを前記固定インサートブロック側へ押圧するためのインサートブロック押圧手段とを備えている。
【０００３】
従来、前記インサートブロック押圧手段は、偏心カムを回動して可動インサートブロックを押圧する構成や、小型の油圧シリンダによって可動インサートブロックを押圧する構成が一般的である。前記偏心カムを利用した構成においては、可動インサートブロックを固定インサートブロック側へ移動する位置は常に一定であるので、胴部の薄い帯鋸刃に対応して固定インサートブロックと可動インサートブロックとの間の間隙が適正間隙に設定してあると、胴部が厚い帯鋸刃の場合には、固定インサートブロックと可動インサートブロックとによって帯鋸刃の胴部を強固に挟持することがあるという問題がある。逆に、胴部が厚い帯鋸刃に対応して前記間隙を設定すると、胴部が薄い帯鋸刃の場合、帯鋸刃とインサートブロックとの間に大きな間隙を生じ、帯鋸刃が傾斜して切り曲りを生じ易いという問題がある。
【０００４】
小型の油圧シリンダによって可動インサートブロックを押圧する構成においては、帯鋸刃における胴部の厚さに拘わりなく、固定インサートブロックと可動インサートブロックとによって帯鋸刃の胴部を常に強固に挟持し案内する構成であるから、両インサートブロックの摩耗が激しいと共に、帯鋸刃を駆動する動力が大きくなるという問題がある。
【０００５】
そこで、固定インサートブロックと可動インサートブロックとによって帯鋸刃の胴部を強固に挟持した後に、可動インサートブロックを僅かに戻すことが行われている（例えば特許文献１参照）。
【先行技術文献】
【特許文献】
【０００６】
【特許文献１】特開２００３−３４０６４０号公報
【発明の概要】
【発明が解決しようとする課題】
【０００７】
前記特許文献１に記載の構成は、可動インサートブロックを油圧シリンダによって固定インサートブロック側へ移動して、固定インサートブロックと可動インサートブロックとによって帯鋸刃の胴部を強固に挟持した後に、上記油圧シリンダ内の圧油をブースタの小シリンダ内に吸引して、可動インサートブロックを僅かに戻す構成である。したがって、帯鋸刃における胴部の厚さに拘わりなく固定インサートブロックと可動インサートブロックとの間の間隙を適正な間隙に保持することができる。
【０００８】
しかし、油圧回路にブースタを備える構成であるから、油圧回路の構成がそれだけ複雑であるという問題がある。
【課題を解決するための手段】
【００１０】
本発明は、上述のごとき従来の問題に鑑みてなされたもので、帯鋸盤における帯鋸刃案内装置によって帯鋸刃を挟持する帯鋸刃挟持方法であって、帯鋸刃案内装置に備えた固定インサートブロックと可動インサートブロックとによって帯鋸刃の胴部を挟持するとき、帯鋸刃案内装置に備えた押圧ネジ部材を締付け、押圧方向へ微動可能な中間部材を介して前記可動インサートブロックを固定インサートブロック側へ移動し、当該可動インサートブロックと固定インサートブロックとによって帯鋸刃の胴部を強固に挟圧した後、前記押圧ネジ部材を不動状態にロックすると共に前記可動インサートブロックから離反する方向へ前記中間部材を移動し、前記固定インサートブロックと可動インサートブロックとによる帯鋸刃の挟圧力を弱くして帯鋸刃を挟持することを特徴とするものである。
【発明の効果】
【００１３】
本発明によれば、押圧ネジ部材を締付けることによって可動インサートブロックを固定インサートブロック側へ押圧移動して、可動インサートブロックと固定インサートブロックによって帯鋸刃の胴部を強固に押圧挟持した後、前記押圧ネジ部材を緩めて帯鋸刃に対する挟持力を弱くし、かつ押圧ネジ部材をロック手段によってロックするものであるから、例えば、押圧ネジ部材を１／４回転や１／２回転など適宜の回転角度逆回転して示すことにより、固定インサートブロックと可動インサートブロックとによる帯鋸刃の挟持力を適正値に弱めることができる。換言すれば、固定インサートブロックと可動インサートブロックとの間の間隙を、帯鋸刃の厚さに対応して適正間隙に調節することができる。すなわち、押圧ネジ部材を締付け、又は緩める簡単な構成でもって、帯鋸刃に対する挟持力、固定インサートブロックと可動インサートブロックとの間の間隙調節を容易に行い得るものである。
【図面の簡単な説明】
【００１４】
【図１】本発明の実施形態に係る帯鋸刃案内装置の構成を概念的、概略的に示した作用説明図である。
【図２】第２の実施形態に係る帯鋸刃案内装置の概念的、概略的な説明図である。
【図３】第３の実施形態に係る帯鋸刃案内装置の概念的、概略的な説明図である。
【発明を実施するための形態】
【００１５】
図１に概念的、概略的に示すように、本発明の実施形態に係る帯鋸刃案内装置１は、本体ブロック３を備えており、この本体ブロック３には、一般的な竪型帯鋸盤、横型帯鋸盤における帯鋸刃案内装置と同様に、帯鋸刃５の背部を支持し案内するローラ又はブロックなどのごとき適宜の背部支持部材７を備えている。また、前記本体ブロック３には、前記帯鋸刃５の胴部を挟持案内するための固定インサートブロック９を内側に一体的に備えた固定側インサートアーム１１が一体に備えられている。
【００１６】
さらに、前記本体ブロック３には、前記固定側インサートアーム１１と対向する可動側インサートアーム１３が備えられており、この可動側インサートアーム１３の内側には、前記固定インサートブロック９と対向して前記帯鋸刃５を挟持案内する可動インサートブロック１５が、前記固定インサートブロック９に対して接近離反する方向へ移動自在に備えられている。ところで、本実施形態においては、前記可動側インサートアーム１３は前記本体ブロック３に一体に設けてある。しかし、前記可動側インサートアーム１３は、前記固定側インサートアーム１１に対して接近離反する方向へ移動（回動）可能かつ接近した状態に固定可能に設けることもできるものである。
【００１７】
前記可動インサートブロック１５が固定インサートブロック９に対して接近離反する方向へ移動自在な構成として、前記可動側インサートアーム１３に形成したガイド凹部１７内に、スライド部材１９が固定インサートブロック９に対して接近離反する方向へ移動自在に嵌合してある。そして、このスライド部材１９と前記可動インサートブロック１５は、例えば固定ネジなどのごとき適宜の固定連結部材（図示省略）を介して一体的に連結してある。
【００１８】
そして、前記可動インサートブロック１５を固定インサートブロック９側へ押圧移動して、固定インサートブロック９と可動インサートブロック１５との間に帯鋸刃５を挟持するために、前記可動側インサートアーム１３の前記ガイド凹部１７に対応した位置には、押圧ネジ部材２１が前記固定インサートブロック９に対して接近離反する方向へ移動自在に螺合してある。そして、上記押圧ネジ部材２１の先端部は、前記スライド部材１９に当接してある。
【００１９】
さらに、押圧ネジ部材２１には、当該押圧ネジ部材２１を不動状態にロックするためのロック手段の１例としてのロックナット２３が螺着してある。なお、前記押圧ネジ部材２１を不動状態にロックするためのロック手段の構成としては、押圧ネジ部材２１の軸に対して直交する方向のネジ孔を本体ブロック３に設け、このネジ孔に螺入したセットスクリューの先端部を前記押圧ネジ部材２１に強固に押圧する構成とすることも可能である。
【００２０】
以上のごとき構成において、帯鋸刃案内装置１における固定インサートブロック９と可動インサートブロック１５との間隙（間隔）が、図１に示すように大きく開いた状態にあるとき、前記両インサートブロック９，１５の間へ帯鋸刃５を挿入し、帯鋸刃５の背部を背部支持部材７に当接する。その後、押圧ネジ部材２１を右回転（正回転）して締付けると、可動インサートブロック１５は固定インサートブロック９側へ移動され、固定インサートブロック９と可動インサートブロック１５との間に帯鋸刃５の胴部を強固に押圧挟持する。すなわち、帯鋸刃５は、固定インサートブロック９と可動インサートブロック１５とに密着した状態に強固に挟圧される。
【００２１】
上述のように、固定インサートブロック９と可動インサートブロック１５によって帯鋸刃５を強固に押圧挟持（挟圧）すると、互に密着して両インサートブロック９，１５と帯鋸刃５との間のクリアランスは零になる。その後、前記押圧ネジ部材２１を、例えば１／４回転、１／２回転など適宜の回転角度だけ逆方向に回転して僅かに、例えば０．０１ｍｍ程度戻すと、固定インサートブロック９と可動インサートブロック１５とによる帯鋸刃５の挟持力が弱くなる。
【００２２】
換言すれば、固定インサートブロック９と可動インサートブロック１５との間の間隙が僅かに広く開かれて、上記間隙は、帯鋸刃５における胴部の厚さに対応した適正間隙に保持される。したがって、その後に、ロック手段の１例としてのロックナット２３を締め付けて、押圧ネジ部材２１を不動状態にロックすることにより、前記固定インサートブロック９と可動インサートブロック１５との間の間隙は帯鋸刃５の厚さに対応した適正間隙に保持されるものである。
【００２３】
以上のごとき説明より理解されるように、押圧ネジ部材２１を締付けるように回転操作すること、及び緩めるように回転操作するだけの簡単な機械的構成でもって、帯鋸刃案内装置１における固定インサートブロック９と可動インサートブロック１５との間の間隙を、帯鋸刃５の厚さに対応して適正間隙に容易に調節し得るものであり、前述したごとき従来の問題を解消し得るものである。
【００２４】
図２は、本発明の第２の実施形態を示すもので、前述した実施形態における構成要素と同一の機能を奏する構成要素には同一符号を付することとして重複した説明は省略する。
【００２５】
第２の実施形態においては、本体ブロック３に形成した上下方向の貫通穴２５内に、ヒンジピン２７を介して揺動レバー２９を揺動自在に設けた構成である。上記揺動レバー２９の下端部の揺動方向は、前記押圧ネジ部材２１によって押圧される方向、すなわち固定インサートブロック９に対して接近離反する方向である。そして、前記揺動レバー２９の下端部と前記スライド部材１９は一体的に連結してあり、かつ揺動レバー２９の下端部を、固定インサートブロック９から離反する方向へ付勢するために、前記揺動レバー２９と前記貫通穴２５の内周面との間には、コイルスプリングなどのごとき弾性部材３１が弾装してある。
【００２６】
上記のごとき構成の第２の実施形態においては、前述した第１の実施形態と同様の操作を行うことにより、固定インサートブロック９と可動インサートブロック１５との間の間隙を、帯鋸刃５の厚さに対応して適正な間隙に調節することができるものである。なお、上記構成においては、押圧ネジ部材２１を左回転して、固定インサートブロック９から離反するとき、前記弾性部材３１が備えられていることにより、可動インサートブロック１５を固定インサートブロック５から積極的にかつ能動的に離反することができるものである。
【００２７】
図３は本発明に係る第３の実施形態を示すもので、この第３の実施形態においては、揺動レバー２９の下端部に、前記可動インサートブロック１５を押圧する方向へ微動可能な中間部材３３を備えた構成である。より詳細には、中間部材３３は、前記スライド部材１９に一体的に設けてあり、かつ前記揺動レバー２９の下端部に微動可能に備えられている。より詳細には、前記揺動レバー２９に対して前記中間部材３３を、可動インサートブロック１５を押圧する方向又はその逆方向へ移動するために、前記中間部材３３には円形状の貫通穴３５が水平に設けられており、この貫通穴３５内には、前記揺動レバー２９に回転可能に支持された回転軸３７に固定した長円形状又は偏心カムなどのごときカム部材３９が嵌合してある。そして、前記回転軸３７には、操作レバー４１が備えられている。
【００２８】
したがって、前記操作レバー４１を操作してカム部材３９を回動すると、前記貫通穴３５における内周面における可動インサートブロック１５側の部分に対するカム部材３９の外周面の接触位置が変化する。よって、前記中間部材３３は、揺動レバー２９に対して、図３において左右方向に微動し得るものである。
【００２９】
上記構成において、図３（Ａ）に示すように、カム部材３９の径の大きな部分が貫通穴３５の内周面のスライド部材１９側に当接した状態にあり、かつ大きく開いた状態の固定インサートブロック９と可動インサートブロック１５との間に帯鋸刃５を配置し、押圧ネジ部材２１を締付けると、揺動レバー２９、中間部材３３を介して可動インサートブロック１５が固定インサートブロック９側へ移動され、固定インサートブロック９と可動インサートブロック１５との間に帯鋸刃５を密着した状態に強固に挟圧する。その後、ロック手段であるロックナット２３を締付けて、押圧ネジ部材２１を不動状態にロックする。
【００３０】
そして、操作レバー４１を操作して、前記カム部材３９の径の小さな部分が前記貫通穴３５の内周面のスライド部材１９側に当接するように回動すると、可動インサートブロック１５は帯鋸刃５から離反する方向へ、例えば０．０１ｍｍ程度の微少量移動し、固定インサートブロック９と可動インサートブロック１５とによる帯鋸刃５の挟持力を弱くして帯鋸刃５を挟持することになる。すなわち、固定インサートブロック９と可動インサートブロック１５との間の間隙を、帯鋸刃５の厚さに対応して適正間隙に容易に保持できることとなり、前記実施形態と同様の効果を奏し得るものである。
【００３１】
なお、本発明は前記実施形態のみに限るものではなく、適宜の変更を行うことにより、その他の形態でも実施可能である。例えば、押圧ネジ部材２１、中間部材３３によって可動インサートブロック１５を直接押圧する構成とすることも可能である。
【符号の説明】
【００３２】
１    帯鋸刃案内装置
３    本体ブロック
５    帯鋸刃
７    背部支持部材
９    固定インサートブロック
１５    可動インサートブロック
１７    ガイド凹部
１９    スライド部材
２１    押圧ネジ部材
２３    ロックナット（ロック手段）
２７    ヒンジピン
２９    揺動レバー
３３    中間部材
３５    貫通穴
３９    カム部材
４１    操作レバー
【図１】
0005427546.tif 000002
【図２】
0005427546.tif 000003
【図３】
0005427546.tif 000004